【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
複数のシリコン太陽電池を直列に電気的に接続して複数のシリコン太陽電池の列を形成すべく、互いに重なりかつ導電的に接合された隣接する前記複数のシリコン太陽電池の複数の長辺を有し一直線に配置される複数の矩形又は実質的に矩形のシリコン太陽電池であって、シリコン太陽電池のそれぞれは光によって照明される前面と反対側に位置付けられる裏面とを有する複数のシリコン太陽電池と、
前記複数のシリコン太陽電池の列に沿った中間位置に位置付けられた前記複数のシリコン太陽電池の１つの前記裏面上の金属部に取り付けられ、かつ電気的に接続される第１の機械的従順性電気相互接続であって、前記中間位置に位置付けられた太陽電池は、第１の隣接するシリコン太陽電池が重なり、前記中間位置に位置付けられた太陽電池の第１の端部に導電的に接合され、前記第１の端部の反対側の前記中間位置に位置付けられたシリコン太陽電池の第２の端部が重なり、第２の隣接するシリコン太陽電池に導電的に接合されるように、配列される、第１の機械的従順性電気相互接続と、
前記列内の複数のシリコン太陽電池をバイパスすべく、前記第１の機械的従順性電気相互接続に電気的に接続されるバイパスダイオードと
を備え、
前記複数のシリコン太陽電池のそれぞれは、同一の設計及び同一の寸法であり、隣接する複数のシリコン太陽電池の重なりは、照明に曝されるそれぞれのシリコン太陽電池の前記前面の一部の領域を変化させるように、前記列を介して変化し、それにより、前記複数のシリコン太陽電池が等しい強度の照明下にある場合、それぞれのシリコン太陽電池で生成される電流を一致させる、装置。
【請求項２】
いくつかの隣接するシリコン太陽電池の重なる前記複数の長辺は、半田よりも機械的従順性のある導電性接着剤で互いに導電的に接合される、請求項１に記載の装置。
【請求項３】
前記複数のシリコン太陽電池の列の端部に位置付けられ、前記バイパスダイオードに電気的に接続される前記複数のシリコン太陽電池の他の１つの前記裏面上の接触パッドに導電的に接合される第２の機械的従順性電気相互接続を備える、請求項１に記載の装置。
【請求項４】
前記第２の機械的従順性電気相互接続は、半田で前記接触パッドに導電的に接合され、
いくつかの隣接するシリコン太陽電池の重なる前記複数の長辺は、前記半田よりも機械的従順性のある導電性接着剤で互いに導電的に接合される、請求項３に記載の装置。
【請求項５】
前記複数のシリコン太陽電池の列の端部に位置付けられ、前記バイパスダイオードに電気的に接続される前記複数のシリコン太陽電池の他の１つの前記前面上の接触パッドに導電的に接合される第２の機械的従順性電気相互接続を備える、請求項１に記載の装置。
【請求項６】
前記第２の機械的従順性電気相互接続は、半田で前記接触パッドに導電的に接合され、
いくつかの隣接するシリコン太陽電池の重なる前記複数の長辺は、前記半田よりも機械的従順性のある導電性接着剤で互いに導電的に接合される、請求項５に記載の装置。
【請求項７】
ポリオレフィン内に封入され、透明上部シートとガラス基板との間に挟着された、請求項１から６の何れか１つに記載の装置。
【請求項８】
前記複数の矩形又は実質的に矩形のシリコン太陽電池の短辺に対する前記複数の矩形又は実質的に矩形のシリコン太陽電池の長辺の長さの比は、約３から約２０の間である、請求項１から７の何れか１つに記載の装置。
【請求項９】
それぞれのシリコン太陽電池の前記前面は、バスバー、又は隣接して位置付けられ、実質的に、前記シリコン太陽電池の長辺の縁部の長さにわたって前記縁部に平行に伸びる複数の接触パッドと、前記縁部に対して垂直に向けられ、前記バスバー又は前記複数の接触パッドに電気的に接続される複数のフィンガと、平行に伸び、前記バスバー又は前記複数の接触パッドの反対側の前記バスバー又は前記複数の接触パッドから離れて、前記縁部から間隔を空けて配置され、２又はそれよりも多くのフィンガを相互接続して前記バスバー又は前記複数の接触パッドに相互接続される前記２又はそれよりも多くのフィンガのそれぞれからの複数の電流経路を与えるバイパス導体とを有し、
その前面の一部分が隣接するシリコン太陽電池により重ね合されるそれぞれのシリコン太陽電池に関して、前記バスバー又は前記複数の接触パッドと、重ね合される前記シリコン太陽電池の前記前面上のバイパス導体とが、重なり合う隣接する前記シリコン太陽電池により隠される、請求項１に記載の装置。
【請求項１０】
前記複数のシリコン太陽電池の列の端部に位置付けられ、前記バイパスダイオードに電気的に接続される前記複数のシリコン太陽電池の他の１つ上の接触パッドに導電的に接合される第２の機械的従順性電気相互接続を備え、
それぞれのシリコン太陽電池の前記前面は、バスバー、又は隣接して位置付けられ、実質的に、前記シリコン太陽電池の長辺の縁部の長さにわたって前記縁部に平行に伸びる複数の接触パッドと、前記縁部に対して垂直に向けられ、前記バスバー又は前記複数の接触パッドに電気的に接続される複数のフィンガと、平行に伸び、前記バスバー又は前記複数の接触パッドの反対側の前記バスバー又は前記複数の接触パッドから離れて、前記縁部から間隔を空けて配置され、２又はそれよりも多くのフィンガを相互接続して前記バスバー又は前記複数の接触パッドに相互接続される前記２又はそれよりも多くのフィンガのそれぞれからの複数の電流経路を与えるバイパス導体とを有し、
その前面の一部分が隣接するシリコン太陽電池により重ね合されるそれぞれのシリコン太陽電池に関して、前記バスバー又は前記複数の接触パッドと、重ね合される前記シリコン太陽電池の前記前面上のバイパス導体とが、重なり合う隣接する前記シリコン太陽電池により隠され、
前記複数のシリコン太陽電池の列は、ポリオレフィン内に封入され、透明上部シートとガラス基板との間に挟着される、請求項１に記載の装置。
【手続補正２】
【補正対象書類名】明細書
【補正対象項目名】０１３４
【補正方法】変更
【補正の内容】
【０１３４】
本発明の開示は例示的であり、限定的ではない。本発明の開示を踏まえて、当業者には、更に別の修正が明らかになり、これらの修正は、添付の特許請求の範囲に収まるように意図している。
［請求項１］
太陽エネルギレシーバであって、
基板と、
隣接太陽電池の端部が板ぶきパターンで重なる状態で上記基板上に配置された２つ又はそれよりも多くの太陽電池の直列接続列と、
を含み、
上記太陽電池の線形熱膨張率が、上記基板のものと約２０×１０-6よりも大きいか又はそれに等しい分だけ異なる、
ことを特徴とする太陽エネルギレシーバ。
［請求項２］
上記太陽電池は、シリコン太陽電池であることを特徴とする請求項１に記載の太陽エネルギレシーバ。
［請求項３］
上記シリコン太陽電池の少なくとも一部が、真性薄層（ＨＩＴ）構造を有するヘテロ接合を含むことを特徴とする請求項２に記載の太陽エネルギレシーバ。
［請求項４］
上記シリコン太陽電池の少なくとも一部が、裏面接触太陽電池であることを特徴とする請求項２に記載の太陽エネルギレシーバ。
［請求項５］
上記裏面接触太陽電池の少なくとも一部が、該太陽電池を貫通して該太陽電池の前面の重ね合わせ部分に該太陽電池の裏面上の接点への電気接続を与える導電性ビアを含むことを特徴とする請求項４に記載の太陽エネルギレシーバ。
［請求項６］
太陽電池の隣接重ね合わせ対が、それらが該太陽電池のうちの一方の前面と他方の太陽電池の裏面との間の導電結合によって重なる領域に直列に電気接続されることを特徴とする請求項１に記載の太陽エネルギレシーバ。
［請求項７］
上記導電結合は、導電性エポキシを用いて形成されることを特徴とする請求項６に記載の太陽エネルギレシーバ。
［請求項８］
各太陽電池が、光によって照明される前面を含み、隣接太陽電池によって重ね合わされない各太陽電池の該前面の区域のサイズが、該太陽電池の電気性能に適合されるように上記列を通して変化することを特徴とする請求項１に記載の太陽エネルギレシーバ。
［請求項９］
上記太陽電池の各々が、第１及び第２の対向して位置決めされた該太陽電池の長辺と２つの対向して位置決めされた該太陽電池の短辺とによって定められる形状を有する矩形又は実質的に矩形の前面及び裏面を有するシリコン太陽電池であり、該前面は、光によって照明されることになり、
各太陽電池が、上記前面上に配置され、かつ上記短辺と平行に実質的に該短辺の長さにわたって延びる複数のフィンガと、上記第１の長辺及び該フィンガの相互接続端部と平行にかつこれと隣接して延びるバスバー又は複数の接触パッドとを含む導電性前面金属化パターンを含み、
各太陽電池が、上記裏面上に配置され、かつ上記第２の長辺と平行にかつそれに隣接して延びる１つ又はそれよりも多くの接触パッドを含む導電性裏面金属化パターンを含む、
ことを特徴とする請求項１に記載の太陽エネルギレシーバ。
［請求項１０］
その前面の一部分が別の太陽電池によって重ね合わされる各太陽電池に関して、該重ね合わされた前面部分が、覆われていない前面部分よりも地球の赤道により近く、それによって該太陽電池の露出縁部を該地球の赤道から離れるように向けるように上記列が向けられた状態で太陽エネルギコレクターにおける作動に向けて位置決めされることを特徴とする請求項１に記載の太陽エネルギレシーバ。
［請求項１１］
上記基板は、金属基板であることを特徴とする請求項１に記載の太陽エネルギレシーバ。
［請求項１２］
上記基板は、アルミニウム基板であることを特徴とする請求項１１に記載の太陽エネルギレシーバ。
［請求項１３］
上記金属基板は、直線的に細長く、
上記太陽電池の各々が、直線的に細長く、
上記太陽電池の列は、該太陽電池の長軸が上記基板の長軸と垂直に向けられた状態で該基板の該長軸に沿う列に配置される、
ことを特徴とする請求項１１に記載の太陽エネルギレシーバ。
［請求項１４］
上記太陽電池の各々が、第１及び第２の対向して位置決めされた該太陽電池の長辺と２つの対向して位置決めされた該太陽電池の短辺とによって定められる形状を有する矩形又は実質的に矩形の前面及び裏面を有するシリコン太陽電池であり、該前面は、光によって照明されることになり、
各太陽電池が、上記前面上に配置され、かつ上記短辺と平行に実質的に該短辺の長さにわたって延びる複数のフィンガと、上記第１の長辺及び該フィンガの相互接続端部と平行にかつこれと隣接して延びるバスバー又は複数の接触パッドとを含む導電性前面金属化パターンを含み、
各太陽電池が、上記裏面上に配置され、かつ上記第２の長辺と平行にかつそれに隣接して延びる１つ又はそれよりも多くの接触パッドを含む導電性裏面金属化パターンを含む、
ことを特徴とする請求項１３に記載の太陽エネルギレシーバ。
［請求項１５］
太陽電池の隣接重ね合わせ対が、それらが一方の太陽電池の上記前面バスバー又は接触パッドと他方の太陽電池の上記１つ又はそれよりも多くの裏面接触パッドとの間の導電結合によって重なる領域に直列に電気接続されることを特徴とする請求項１４に記載の太陽エネルギレシーバ。
［請求項１６］
その前面の一部分が別の太陽電池によって重ね合わされる各太陽電池に関して、該重ね合わされた前面部分が、覆われていない前面部分よりも地球の赤道により近く、それによって該太陽電池の露出縁部を該赤道から離れるように向けるように上記列が向けられた状態で太陽エネルギコレクターにおける作動に向けて位置決めされることを特徴とする請求項１５に記載の太陽エネルギレシーバ。
［請求項１７］
各太陽電池が、光によって照明される前面を含み、隣接太陽電池によって重ね合わされない各太陽電池の該前面の区域のサイズが、該太陽電池の電気性能に適合されるように上記列を通して変化することを特徴とする請求項１５に記載の太陽エネルギレシーバ。
［請求項１８］
上記太陽電池の直列接続列は、太陽電池の第１の列であり、
隣接太陽電池の端部が板ぶきパターンで重なる状態で上記基板上に配置された２つ又はそれよりも多くの太陽電池の第２の直列接続列を含み、
機械的従順性電気相互接続が、上記第１及び第２の列を直列に電気接続し、
上記第２の列内の太陽電池の線形熱膨張率が、上記基板のものと約２０×１０-6よりも大きいか又はそれに等しい分だけ異なり、該第２の列内の該太陽電池の各々が、直線的に細長く、該太陽電池の第２の列は、該太陽電池の長軸の向きが該基板の長軸に垂直に定められた状態で該基板の該長軸に沿う列に配置され、該第２の列は、該第１の列と一直線である、
ことを特徴とする請求項１３に記載の太陽エネルギレシーバ。
［請求項１９］
上記機械的従順性電気相互接続は、上記第１の列の端部に位置付けられた第１の太陽電池の前面の一部分に結合され、かつ上記第２の列の端部に位置付けられた第２の太陽電池の裏面の一部分に結合され、該第２の太陽電池は、該第１の太陽電池の該前面の側からの視界から該機械的従順性電気相互接続を隠す、
ことを特徴とする請求項１８に記載の太陽エネルギレシーバ。
［請求項２０］
上記太陽電池の各々が、第１及び第２の対向して位置決めされた該太陽電池の長辺と２つの対向して位置決めされた該太陽電池の短辺とによって定められる形状を有する矩形又は実質的に矩形の前面及び裏面を有するシリコン太陽電池であり、該前面は、光によって照明されることになり、
各太陽電池が、上記前面上に配置され、かつ上記短辺と平行に実質的に該短辺の長さにわたって延びる複数のフィンガと、上記第１の長辺及び該フィンガの相互接続端部と平行にかつこれと隣接して延びるバスバー又は複数の接触パッドとを含む導電性前面金属化パターンを含み、
各太陽電池が、上記裏面上に配置され、かつ上記第２の長辺と平行にかつそれに隣接して延びる１つ又はそれよりも多くの接触パッドを含む導電性裏面金属化パターンを含む、
ことを特徴とする請求項１８に記載の太陽エネルギレシーバ。
［請求項２１］
太陽電池の隣接重ね合わせ対が、それらが一方の太陽電池の上記前面バスバー又は接触パッドと他方の太陽電池の上記１つ又はそれよりも多くの裏面接触パッドとの間の導電結合によって重なる領域に直列に電気接続されることを特徴とする請求項２０に記載の太陽エネルギレシーバ。
［請求項２２］
上記導電結合は、導電性銀充填エポキシを用いて形成されることを特徴とする請求項２１に記載の太陽エネルギレシーバ。
［請求項２３］
その前面の一部分が別の太陽電池によって重ね合わされる各太陽電池に関して、該重ね合わされた前面部分が、覆われていない前面部分よりも地球の赤道により近く、それによって該太陽電池の露出縁部を該地球の赤道から離れるように向けるように上記列が向けられた状態で太陽エネルギコレクターにおける作動に向けて位置決めされることを特徴とする請求項２１に記載の太陽エネルギレシーバ。
［請求項２４］
各太陽電池が、光によって照明される前面を含み、隣接太陽電池によって重ね合わされない各太陽電池の該前面の区域のサイズが、該太陽電池の電気性能に適合されるように上記列を通して変化することを特徴とする請求項２１に記載の太陽エネルギレシーバ。
［請求項２５］
請求項１に記載の太陽エネルギレシーバと、
太陽放射線を該レシーバ上に集光するように配置された１つ又はそれよりも多くの光学要素と、
を含むことを特徴とする集光太陽エネルギコレクター。
［請求項２６］
太陽電池の列であって、
隣接太陽電池の端部が板ぶきパターンで重なる状態に配置された複数の直列接続太陽電池、
を含み、
各太陽電池が、光によって照明される前面を含み、隣接太陽電池によって重ね合わされない各太陽電池の該前面の区域のサイズが、該太陽電池の電気性能に適合されるように列を通して変化する、
ことを特徴とする太陽電池の列。
［請求項２７］
上記適合される電気性能は、全ての太陽電池が等しく照明される時に各太陽電池に発生する電流であることを特徴とする請求項２６に記載の太陽電池の列。
［請求項２８］
上記太陽電池は、シリコン太陽電池であることを特徴とする請求項２６に記載の太陽電池の列。
［請求項２９］
上記シリコン太陽電池の少なくとも一部が、真性薄層（ＨＩＴ）構造を有するヘテロ接合を含むことを特徴とする請求項２８に記載の太陽電池の列。
［請求項３０］
上記シリコン太陽電池の少なくとも一部が、裏面接触太陽電池であることを特徴とする請求項２８に記載の太陽電池の列。
［請求項３１］
上記裏面接触太陽電池の少なくとも一部が、該太陽電池を貫通して該太陽電池の前面の重ね合わせ部分に該太陽電池の裏面上の接点への電気接続を与える導電性ビアを含むことを特徴とする請求項３０に記載の太陽電池の列。
［請求項３２］
太陽電池の隣接重ね合わせ対が、それらが該太陽電池のうちの一方の前面と他方の太陽電池の裏面との間の導電結合によって重なる領域に直列に電気接続されることを特徴とする請求項２６に記載の太陽電池の列。
［請求項３３］
その前面の一部分が別の太陽電池によって重ね合わされる各太陽電池に関して、該重ね合わされた前面部分が、覆われていない前面部分よりも地球の赤道により近く、それによって該太陽電池の露出縁部を該地球の赤道から離れるように向けるように列が向けられた状態で太陽エネルギコレクターにおける作動に向けて位置決めされることを特徴とする請求項２６に記載の太陽電池の列。
［請求項３４］
請求項２６に記載の太陽電池の列と、
太陽放射線をレシーバ上に集光するように配置された１つ又はそれよりも多くの光学要素と、
を含むことを特徴とする集光太陽エネルギコレクター。
［請求項３５］
裏面接触シリコン太陽電池であって、
光によって照明される前面と、
裏面と、
シリコンダイオード接合のｎ導電型側に電気接触する上記裏面上の１つ又はそれよりも多くのｎ接点と、
上記シリコンダイオード接合のｐ導電型側に電気接触する上記裏面上の１つ又はそれよりも多くのｐ接点と、
太陽電池を上記裏面から上記前面まで貫通して該前面の縁部の近くに上記ｐ接点又は上記ｎ接点のいずれかへの１つ又はそれよりも多くの電気接続を与える１つ又はそれよりも多くの導電性ビアと、
を含むことを特徴とする裏面接触シリコン太陽電池。
［請求項３６］
上記ビアの上側端部を電気相互接続する上記前面上のバスバー又は複数の接触パッドを含むことを特徴とする請求項３５に記載の裏面接触太陽電池。
［請求項３７］
上記前面及び裏面は、２つの対向して位置決めされた長辺と２つの対向して位置決めされた短辺とによって定められる対応する矩形又は実質的に矩形の形状を有し、上記ビアの上側端部が、該前面の長辺に沿って配置されることを特徴とする請求項３５に記載の裏面接触太陽電池。
［請求項３８］
上記ｎ接点は、並列に配置されて上記裏面の上記短辺と平行に延びる複数のｎフィンガを含み、
上記ｐ接点は、並列に配置されて上記裏面の上記短辺と平行に延びる複数のｐフィンガを含み、
上記ｎフィンガと上記ｐフィンガは、交互嵌合される、
ことを特徴とする請求項３７に記載の裏面接触太陽電池。
［請求項３９］
上記ビアの上側端部を電気相互接続する上記前面上のバスバー又は複数の接触パッドを含むことを特徴とする請求項３８に記載の裏面接触太陽電池。
［請求項４０］
上記ｎ接点は、並列に配置され、かつ各ｎフィンガの両端が、上記長辺と平行な方向にｎフィンガの間のピッチ距離に等しい距離だけオフセットされるような上記裏面の上記短辺に対する角度で互いに平行に延びる複数のｎフィンガを含み、
上記ｐ接点は、並列に配置され、かつ各ｐフィンガの両端が、上記長辺と平行な方向にｐフィンガの間のピッチ距離に等しい距離だけオフセットされるような上記裏面の上記短辺に対する角度で互いに平行に延びる複数のｐフィンガを含み、
上記ｎフィンガと上記ｐフィンガは、交互嵌合される、
ことを特徴とする請求項３７に記載の裏面接触太陽電池。
［請求項４１］
上記ビアの上側端部を電気相互接続する上記前面上のバスバー又は複数の接触パッドを含むことを特徴とする請求項４０に記載の裏面接触太陽電池。
［請求項４２］
請求項３５に記載の裏面接触太陽電池と、
太陽放射線を上記太陽電池上に集光するように配置された１つ又はそれよりも多くの光学要素と、
を含むことを特徴とする集光太陽エネルギコレクター。
［請求項４３］
太陽電池の列であって、
光によって照明される前面と、裏面と、ダイオード接合のｎ導電型側に電気接触する該裏面上の１つ又はそれよりも多くのｎ接点と、該ダイオード接合のｐ導電型側に電気接触する該裏面上の１つ又はそれよりも多くのｐ接点とを含む第１の裏面接触シリコン太陽電池と、
光によって照明される前面と、裏面と、ダイオード接合のｎ導電型側に電気接触する該裏面上の１つ又はそれよりも多くのｎ接点と、該ダイオード接合のｐ導電型側に電気接触する該裏面上の１つ又はそれよりも多くのｐ接点とを含む第２の裏面接触シリコン太陽電池と、
を含み、
上記第１及び第２の裏面接触シリコン太陽電池は、該第２の裏面接触シリコン太陽電池の上記裏面の縁部が、該第１の裏面接触シリコン太陽電池の上記前面の縁部に重なり、かつ直列に電気接続される状態に位置決めされる、
ことを特徴とする太陽電池の列。
［請求項４４］
上記第１の裏面接触シリコン太陽電池は、該太陽電池をその裏面からその前面まで貫通して該第１の裏面接触シリコン太陽電池の上記ｐ接点又は上記ｎ接点のいずれかを上記第２の裏面接触シリコン太陽電池の上記裏面上の反対極性の接点に電気相互接続する１つ又はそれよりも多くの導電性ビアを含み、該導電性ビアの上側端部が、該第２の裏面接触シリコン太陽電池によって重ね合わされる該第１の裏面接触シリコン太陽電池の該前面の領域に位置付けられる、
ことを特徴とする請求項４３に記載の太陽電池の列。
［請求項４５］
上記導電性ビアは、上記第１の裏面接触シリコン太陽電池の上記前面と上記第２の裏面接触シリコン太陽電池の上記裏面との間の１つ又はそれよりも多くの導電結合によって該第２のシリコン太陽電池の該裏面上の上記接点に電気接続されることを特徴とする請求項４４に記載の太陽電池の列。
［請求項４６］
上記ビアの上側端部を電気相互接続し、かつ上記１つ又はそれよりも多くの導電結合によって上記第２の裏面接触シリコン太陽電池の上記裏面上の上記接点に電気相互接続された上記第１の裏面接触シリコン太陽電池の上記前面上のバスバー又は複数の接触パッドを含むことを特徴とする請求項４５に記載の太陽電池の列。
［請求項４７］
上記導電結合は、導電性エポキシを用いて形成されることを特徴とする請求項４５に記載の太陽電池の列。
［請求項４８］
１つ又はそれよりも多くの可撓性相互接続が、上記第１の裏面接触シリコン太陽電池の上記裏面上の上記ｐ接点又は上記ｎ接点のいずれかを上記第２の裏面接触シリコン太陽電池の上記裏面上の反対極性の電気接点に電気接続することを特徴とする請求項４３に記載の太陽電池の列。
［請求項４９］
請求項４３に記載の太陽電池の列と、
太陽放射線を上記太陽電池上に集光するように配置された１つ又はそれよりも多くの光学要素と、
を含むことを特徴とする集光太陽エネルギコレクター。
［請求項５０］
太陽エネルギレシーバであって、
基板と、
上記基板に接着する熱伝導性封入層と、
上記熱伝導性封入層上に配置された太陽電池の列と、
上記太陽電池の列上に配置された透明封入層と、
上記透明封入層上に配置された透明上部シートと、
を含み、
上記熱伝導性封入層は、顔料を含む、
ことを特徴とする太陽エネルギレシーバ。
［請求項５１］
上記熱伝導性封入層は、その上に入射する太陽放射線の実質的な部分を反射することを特徴とする請求項５０に記載の太陽エネルギレシーバ。
［請求項５２］
上記太陽電池の少なくとも一部が、真性薄層（ＨＩＴ）構造を有するヘテロ接合を含むシリコン太陽電池であることを特徴とする請求項５１に記載の太陽エネルギレシーバ。
［請求項５３］
上記熱伝導性封入層は、その上に入射する太陽放射線の実質的な部分を吸収することを特徴とする請求項５０に記載の太陽エネルギレシーバ。
［請求項５４］
上記熱伝導性封入層は、黒色であることを特徴とする請求項５０に記載の太陽エネルギレシーバ。
［請求項５５］
上記熱伝導性封入層は、白色であることを特徴とする請求項５０に記載の太陽エネルギレシーバ。
［請求項５６］
上記透明上部シートは、約０．０１グラム毎メートル−日よりも低いか又はそれに等しい水分透過率を有することを特徴とする請求項５０に記載の太陽エネルギレシーバ。
［請求項５７］
上記太陽電池の列は、隣接太陽電池の端部が板ぶきパターンで重なる状態に配置された複数の太陽電池を含むことを特徴とする請求項５０に記載の太陽エネルギレシーバ。
［請求項５８］
太陽電池の列を準備する方法であって、
複数の太陽電池を隣接太陽電池の端部が板ぶき式方式で重なり、かつ未硬化導電性エポキシが、該太陽電池を直列接続するように選択された場所に隣接太陽電池の重ね合わせ部分の間に配置された状態に配置する段階と、
圧力を印加して上記太陽電池の重ね合わせ端部を互いに対して押圧し、同時に該太陽電池の温度を上昇させて上記導電性エポキシを硬化させ、該太陽電池の間に導電結合を形成する段階と、
を含むことを特徴とする方法。
［請求項５９］
上記導電性エポキシを硬化させた後に、上記太陽電池の列を基板上の層のスタックに配置する段階と、
上記スタックを上記基板に積層する段階と、
を含むことを特徴とする請求項５８に記載の方法。
［請求項６０］
上記導電性エポキシを硬化させる前に、上記太陽電池の列を基板上の層のスタックに配置する段階と、
上記スタックを上記基板に積層し、同時に上記導電性エポキシを硬化させる段階と、
を含むことを特徴とする請求項５８に記載の方法。
［請求項６１］
太陽電池を基板に積層する方法であって、
隣接太陽電池の端部が板ぶきパターンで重なる状態で太陽電池の直列接続列を形成するように複数の太陽電池を配置する段階と、
上記太陽電池の列を上記基板上の層のスタックに配置する段階と、
約０．６気圧よりも大きくない圧力を印加して上記層のスタックと上記基板とを互いに押圧する段階と、
を含むことを特徴とする方法。
［請求項６２］
上記圧力は、約０．４気圧よりも低いか又はそれに等しいことを特徴とする請求項６１に記載の方法。
［請求項６３］
上記圧力は、約０．２と約０．６気圧の間にあることを特徴とする請求項６１に記載の方法。
［請求項６４］
上記基板、上記層のスタック、又は該基板及び該層のスタックを約１３０℃と約１６０℃の間の温度まで加熱する段階を含むことを特徴とする請求項６１に記載の方法。
［請求項６５］
太陽電池であって、
太陽電池の第１及び第２の対向して位置決めされた長辺と太陽電池の２つの対向して位置決めされた短辺とによって定められる形状を有する矩形又は実質的に矩形の前面及び裏面を有し、該前面が光によって照明されることになるシリコン半導体ダイオード構造と、
上記前面上に配置され、かつ上記短辺と平行に実質的に該短辺の長さにわたって延びる複数のフィンガを含む導電性前面金属化パターンと、  上記裏面上に配置された導電性裏面金属化パターンと、
を含むことを特徴とする太陽電池。
［請求項６６］
上記前面金属化パターンは、上記フィンガを相互接続するバスバーを含まないことを特徴とする請求項６５に記載の太陽電池。
［請求項６７］
上記裏面金属化パターンは、上記第２の長辺に隣接して位置決めされ、かつ該第２の長辺と平行に実質的に該第２の長辺の上記長さにわたって延びる接触パッドを含むことを特徴とする請求項６６に記載の太陽電池。
［請求項６８］
上記裏面金属化パターンは、上記第２の長辺に隣接して位置決めされ、かつそれと平行に配置された２つ又はそれよりも多くの離散接触パッドを含むことを特徴とする請求項６６に記載の太陽電池。
［請求項６９］
上記前面金属化パターンは、上記第１の長辺に隣接して位置決めされ、かつ該第１の長辺と平行に実質的に該第１の長辺の上記長さにわたって延びる１つだけのバスバーを含み、
上記フィンガは、上記バスバーに取り付けられ、かつそれによって相互接続される、
ことを特徴とする請求項６５に記載の太陽電池。
［請求項７０］
その長軸と垂直に上記バスバーの幅よりも幅狭の幅を有し、２つ又はそれよりも多くのフィンガを相互接続して該２つ又はそれよりも多くの相互接続されたフィンガの各々から該バスバーへの複数の電流経路を与えるバイパス導体を含むことを特徴とする請求項６９に記載の太陽電池。
［請求項７１］
上記バイパス導体は、上記バスバーに隣接して位置決めされ、かつそれと平行に延びることを特徴とする請求項７０に記載の太陽電池。
［請求項７２］
上記裏面金属化パターンは、上記第２の長辺に隣接して位置決めされ、かつそれと平行に実質的に該第２の長辺の上記長さにわたって延びる接触パッドを含むことを特徴とする請求項６９に記載の太陽電池。
［請求項７３］
上記長辺と垂直に測定された上記裏面接触パッドの幅が、該長辺と垂直に測定された上記バスバーの幅にほぼ適合することを特徴とする請求項７２に記載の太陽電池。
［請求項７４］
上記裏面金属化パターンは、上記第２の長辺に隣接して位置決めされた２つ又はそれよりも多くの離散接触パッドを含むことを特徴とする請求項６９に記載の太陽電池。
［請求項７５］
上記前面金属化パターンは、上記第１の長辺に隣接して位置決めされた２つ又はそれよりも多くの離散接触パッドを含み、
各フィンガが、上記接触パッドのうちの少なくとも１つに電気接続される、
ことを特徴とする請求項６５に記載の太陽電池。
［請求項７６］
上記裏面金属化パターンは、上記第２の長辺に隣接して位置決めされ、かつそれと平行に実質的に該第２の長辺の上記長さにわたって延びる接触パッドを含むことを特徴とする請求項７５に記載の太陽電池。
［請求項７７］
上記裏面金属化パターンは、上記第２の長辺に隣接して位置決めされた２つ又はそれよりも多くの離散接触パッドを含むことを特徴とする請求項７５に記載の太陽電池。
［請求項７８］
太陽電池の短辺の長さに対する太陽電池の長辺の長さの比が、３よりも大きいか又はそれに等しいことを特徴とする請求項６５に記載の太陽電池。
［請求項７９］
請求項６５に記載の太陽電池と、
太陽放射線を上記太陽電池上に集光するように配置された光学要素と、
を含むことを特徴とする集光太陽エネルギコレクター。
［請求項８０］
太陽電池の列であって、
光によって照明される前面と、裏面と、該前面上に配置された導電性前面金属化パターンとを有する第１のシリコン太陽電池と、
光によって照明される前面と、裏面と、該裏面上に配置された導電性裏面金属化パターンとを有する第２のシリコン太陽電池と、
を含み、
上記第１及び第２のシリコン太陽電池は、該第２のシリコン太陽電池の上記裏面の縁部が、該第１のシリコン太陽電池の上記前面の縁部と重なる状態に位置決めされ、該第１のシリコン太陽電池の上記前面金属化パターンの一部分が、該第２のシリコン太陽電池によって隠され、かつ該第２のシリコン太陽電池の上記裏面金属化パターンの一部分に結合されて該第１及び第２のシリコン太陽電池を直列に電気接続する、
ことを特徴とする太陽電池の列。
［請求項８１］
上記第１のシリコン太陽電池の上記前面金属化パターンは、該第１のシリコン太陽電池の上記前面の上記重ね合わせ縁部に垂直に向けられた複数のフィンガを含むことを特徴とする請求項８０に記載の太陽電池の列。
［請求項８２］
上記第１のシリコン太陽電池の上記前面金属化パターンは、２つ又はそれよりも多くのフィンガを相互接続して該２つ又はそれよりも多くの相互接続されたフィンガの各々から上記第２のシリコン太陽電池に結合された該第１のシリコン太陽電池の該前面金属化パターンの部分への複数の電流経路を与えるバイパス導体を含むことを特徴とする請求項８１に記載の太陽電池の列。
［請求項８３］
上記第１及び第２のシリコン太陽電池は、同一又は実質的に同一な形状を有し、それらの前面及び裏面が、矩形又は実質的に矩形であり、かつ２つの対向して位置決めされた長辺と２つの対向して位置決めされた短辺とによって定められ、
上記シリコン太陽電池の上記重ね合わせ縁部は、該太陽電池の長辺によって定められる、
ことを特徴とする請求項８０に記載の太陽電池の列。
［請求項８４］
上記第１のシリコン太陽電池の上記前面金属化パターンは、該第１のシリコン太陽電池の上記短辺に平行に向けられた複数のフィンガを含むことを特徴とする請求項８３に記載の太陽電池の列。
［請求項８５］
上記第１の太陽電池の上記前面金属化パターンの上記部分は、導電性半田を用いて上記第２のシリコン太陽電池の上記裏面金属化パターンの上記部分に結合されることを特徴とする請求項８０に記載の太陽電池の列。
［請求項８６］
上記第１の太陽電池の上記前面金属化パターンの上記部分は、導電性フィルムを用いて上記第２のシリコン太陽電池の上記裏面金属化パターンの上記部分に結合されることを特徴とする請求項８０に記載の太陽電池の列。
［請求項８７］
上記第１の太陽電池の上記前面金属化パターンの上記部分は、導電性ペーストを用いて上記第２のシリコン太陽電池の上記裏面金属化パターンの上記部分に結合されることを特徴とする請求項８０に記載の太陽電池の列。
［請求項８８］
上記第１の太陽電池の上記前面金属化パターンの上記部分は、導電性テープを用いて上記第２のシリコン太陽電池の上記裏面金属化パターンの上記部分に結合されることを特徴とする請求項８０に記載の太陽電池の列。
［請求項８９］
上記第１の太陽電池の上記前面金属化パターンの上記部分は、導電性接着剤を用いて上記第２のシリコン太陽電池の上記裏面金属化パターンの上記部分に結合されることを特徴とする請求項８０に記載の太陽電池の列。
［請求項９０］
上記第１の太陽電池の上記前面金属化パターンの上記部分は、導電性半田結合によって与えられるものよりも高い機械的従順性を与える導電結合材料を用いて上記第２のシリコン太陽電池の上記裏面金属化パターンの上記部分に結合されることを特徴とする請求項８０に記載の太陽電池の列。
［請求項９１］
上記第１の太陽電池の上記前面金属化パターンの上記部分は、該前面金属化パターンのフィンガを相互接続してバスバーの電流収集機能を実施する導電結合材料を用いて上記第２のシリコン太陽電池の上記裏面金属化パターンの上記部分に、結合され、
上記第１のシリコン太陽電池の上記前面金属化パターンは、バスバーを含まない、
ことを特徴とする請求項８０に記載の太陽電池の列。
［請求項９２］
上記第１のシリコン太陽電池の上記前面金属化パターンは、該第１のシリコン太陽電池の上記前面の上記重ね合わせ縁部に隣接して位置決めされ、かつそれと平行に実質的に該縁部の長さにわたって延びるバスバー又は複数の接触パッドを含み、
上記第１のシリコン太陽電池の上記前面上の上記バスバー又は複数の接触パッドは、上記第２のシリコン太陽電池によって隠され、かつ該第２のシリコン太陽電池の上記裏面上の上記金属化パターンに結合されて該第１及び第２のシリコン太陽電池を直列に電気接続する、
ことを特徴とする請求項８０に記載の太陽電池の列。
［請求項９３］
上記第１のシリコン太陽電池上の上記前面金属化パターンは、上記バスバー又は複数の接触パッドに取り付けられたフィンガを含むことを特徴とする請求項９２に記載の太陽電池の列。
［請求項９４］
上記第１のシリコン太陽電池上の上記前面金属化パターンは、その長軸と垂直に上記バスバー又は接触パッドの幅よりも幅狭の幅を有し、２つ又はそれよりも多くのフィンガを相互接続して該２つ又はそれよりも多くの相互接続されたフィンガの各々から該バスバー又は複数の接触パッドへの複数の電流経路を与えるバイパス導体を含むことを特徴とする請求項９２に記載の太陽電池の列。
［請求項９５］
上記バイパス導体は、上記第２のシリコン太陽電池によって隠されることを特徴とする請求項９４に記載の太陽電池の列。
［請求項９６］
上記バイパス導体は、上記第２のシリコン太陽電池によって隠されないことを特徴とする請求項９４に記載の太陽電池の列。
［請求項９７］
請求項８０に記載の太陽電池の列と、
太陽放射線を上記列上に集光するように配置された光学要素と、
を含むことを特徴とする集光太陽エネルギコレクター。
［請求項９８］
金属基板と、
隣接太陽電池の端部が板ぶきパターンで重なる状態で上記金属基板上に配置された２つ又はそれよりも多くの太陽電池の直列接続列と、
を含むことを特徴とする太陽エネルギレシーバ。
［請求項９９］
太陽電池の隣接重ね合わせ対が、それらが該太陽電池のうちの一方の前面上の金属化パターンと他方の太陽電池の裏面上の金属化パターンとの間の導電結合によって重なる領域に電気接続されることを特徴とする請求項９８に記載の太陽エネルギレシーバ。
［請求項１００］
上記太陽電池は、シリコン太陽電池であることを特徴とする請求項９８に記載の太陽エネルギレシーバ。
［請求項１０１］
上記太陽電池は、上記金属基板に接着する積層スタックで配置されることを特徴とする請求項９８に記載の太陽エネルギレシーバ。
［請求項１０２］
上記金属基板は、直線的に細長く、
上記太陽電池の各々が、直線的に細長く、
上記太陽電池の列は、該太陽電池の長軸が上記金属基板の長軸に垂直に向けられた状態で該金属基板の該長軸に沿う列に配置される、
ことを特徴とする請求項９８に記載の太陽エネルギレシーバ。
［請求項１０３］
太陽電池の１つだけの列を有することを特徴とする請求項１０２に記載の太陽エネルギレシーバ。
［請求項１０４］
上記太陽電池の直列接続列は、太陽電池の第１の列であり、
隣接太陽電池の端部が板ぶきパターンで重なる状態に配置された２つ又はそれよりも多くの太陽電池の第２の直列接続列を含み、該太陽電池の第２の列は、上記金属基板上に配置される、
ことを特徴とする請求項９８に記載の太陽エネルギレシーバ。
［請求項１０５］
上記太陽電池の第１の列の端部での太陽電池上の裏面金属化パターンを上記太陽電池の第２の列の端部での太陽電池上の前面金属化パターンに電気結合する機械的従順性電気相互接続を含むことを特徴とする請求項１０４に記載の太陽エネルギレシーバ。
［請求項１０６］
上記金属基板は、直線的に細長く、
上記太陽電池の各々が、直線的に細長く、
上記太陽電池の第１及び第２の列は、該太陽電池の長軸が上記金属基板の長軸に垂直に向けられた状態で該金属基板の該長軸に沿う列に一直線に配置される、
ことを特徴とする請求項１０５に記載の太陽エネルギレシーバ。
［請求項１０７］
請求項９８に記載の太陽エネルギレシーバと、
太陽放射線を上記レシーバ上に集光するように配置された光学要素と、
を含むことを特徴とする集光太陽エネルギコレクター。
［請求項１０８］
隣接太陽電池の端部が板ぶきパターンで重なる状態に配置され、かつ隣接太陽電池の該重ね合わせ領域に作られた太陽電池間の電気接続によって直列に接続された太陽電池の第１の群と、
隣接太陽電池の端部が板ぶきパターンで重なる状態に配置され、かつ隣接太陽電池の該重ね合わせ領域に作られた太陽電池間の電気接続によって直列に接続された太陽電池の第２の群と、
上記太陽電池の第１の群を上記太陽電池の第２の群に直列に電気結合する機械的従順性電気相互接続と、
を含むことを特徴とする太陽電池の列。
［請求項１０９］
上記機械的従順性電気相互接続は、上記太陽電池の第１の群の端部での太陽電池上の裏面金属化パターンを上記太陽電池の第２の群の端部での太陽電池上の前面金属化パターンに電気結合することを特徴とする請求項１０８に記載の太陽電池の列。
［請求項１１０］
上記太陽電池の第１及び第２の群は、単一列に一直線に配置され、該太陽電池の２つの群の間のそれらが上記機械的従順性電気相互接続によって相互接続される間隙が、約５ミリメートルよりも小さいか又はそれに等しい幅を有することを特徴とする請求項１０８に記載の太陽電池の列。
［請求項１１１］
上記機械的従順性電気相互接続は、連結された扁平楕円の形態を有する金属リボンを含むことを特徴とする請求項１０８に記載の太陽電池の列。
［請求項１１２］
上記太陽電池の第１及び第２の群は、単一列に一直線に配置され、
上記機械的従順性電気相互接続は、上記太陽電池の列の長軸と垂直に向けられ、かつ上記太陽電池の第１の群の端部での太陽電池上の裏面金属化パターンにかつ上記太陽電池の第２の群の端部での太陽電池上の前面金属化パターンに電気結合された金属リボンを含む、
ことを特徴とする請求項１０８に記載の太陽電池の列。
［請求項１１３］
請求項１０８に記載の太陽電池の列と、
太陽放射線を上記列上に集光するように配置された光学要素と、
を含むことを特徴とする集光太陽エネルギコレクター。
［請求項１１４］
太陽エネルギレシーバであって、
直線的に細長い基板と、
隣接太陽電池の端部が板ぶきパターンで重なり、かつ太陽電池の隣接重ね合わせ対が、それらが重なる領域に直列に電気接続された状態で上記基板の長軸と平行な列に該基板上に配置された２つ又はそれよりも多くの太陽電池の第１の列と、
隣接太陽電池の端部が板ぶきパターンで重なり、かつ太陽電池の隣接重ね合わせ対が、それらが重なる領域に直列に電気接続された状態で該基板の長軸と平行な列に該基板上に配置され、上記第１の列と一直線に配置された２つ又はそれよりも多くの太陽電池の第２の列と、
上記第１の列の端部での第１の太陽電池と上記第２の列の隣接端部での第２の太陽電池との間に位置付けられ、かつそれらを電気接続して該第１及び第２の列を直列に電気接続するフレックス回路と、
を含み、
上記太陽電池の線形熱膨張率が、上記基板のものと約２０×１０-6よりも大きいか又はそれに等しい分だけ異なる、
ことを特徴とする太陽エネルギレシーバ。
［請求項１１５］
上記太陽電池は、シリコン太陽電池であることを特徴とする請求項１１４に記載の太陽エネルギレシーバ。
［請求項１１６］
上記シリコン太陽電池の少なくとも一部が、真性薄層（ＨＩＴ）構造を有するヘテロ接合を含むことを特徴とする請求項１１５に記載の太陽エネルギレシーバ。
［請求項１１７］
上記シリコン太陽電池の少なくとも一部が、裏面接触太陽電池であることを特徴とする請求項１１５に記載の太陽エネルギレシーバ。
［請求項１１８］
上記裏面接触太陽電池の少なくとも一部が、該太陽電池を通過して該太陽電池の前面の重ね合わせ部分に該太陽電池の裏面上の接点への電気接続を与える導電性ビアを含むことを特徴とする請求項１１７に記載の太陽エネルギレシーバ。
［請求項１１９］
太陽電池の隣接重ね合わせ対が、それらが該太陽電池のうちの一方の前面と他方の太陽電池の裏面との間の導電結合によって重なる領域に直列に電気接続されることを特徴とする請求項１１４に記載の太陽エネルギレシーバ。
［請求項１２０］
上記導電結合は、導電性エポキシを用いて形成されることを特徴とする請求項１１９に記載の太陽エネルギレシーバ。
［請求項１２１］
各太陽電池が、光によって照明される前面を含み、隣接太陽電池によって重ね合わされない各太陽電池の該前面の区域のサイズが、該太陽電池に電流適合するように上記列を通して変化することを特徴とする請求項１１４に記載の太陽エネルギレシーバ。
［請求項１２２］
上記フレックス回路は、上記第１の太陽電池の前面の一部分に結合され、かつ上記第２の太陽電池の裏面の一部分に結合され、該第２の太陽電池は、該第１の太陽電池の該前面の側からの視界から該フレックス回路を隠すことを特徴とする請求項１１４に記載の太陽エネルギレシーバ。
［請求項１２３］
その前面の一部分が別の太陽電池によって重ね合わされる各太陽電池に関して、該重ね合わされた前面部分が、覆われていない前面部分よりも地球の赤道により近く、それによって該太陽電池の露出縁部が該地球の赤道から離れる向きに置かれるように上記列が向けられた状態で太陽エネルギコレクターにおける作動に向けて位置決めされることを特徴とする請求項１１４に記載の太陽エネルギレシーバ。
［請求項１２４］
上記基板は、金属基板であることを特徴とする請求項１１４に記載の太陽エネルギレシーバ。
［請求項１２５］
上記基板は、アルミニウム基板であることを特徴とする請求項１２４に記載の太陽エネルギレシーバ。
［請求項１２６］
上記フレックス回路は、薄肉絶縁シート間に挟着された金属リボンを含み、該金属リボンは、その機械的従順性を高めるようにパターン化され、該絶縁シートは、太陽電池の上記第１及び第２の列に電気接触を取る該金属リボンの部分を露出するようにパターン化されることを特徴とする請求項１１４に記載の太陽エネルギレシーバ。
［請求項１２７］
上記太陽電池の各々が、直線的に細長く、かつその長軸が上記基板の長軸に垂直であるように向けられることを特徴とする請求項１１４に記載の太陽エネルギレシーバ。
［請求項１２８］
上記太陽電池の各々が、第１及び第２の対向して位置決めされた該太陽電池の長辺と２つの対向して位置決めされた該太陽電池の短辺とによって定められる形状を有する矩形又は実質的に矩形の前面及び裏面を有するシリコン太陽電池であり、該前面は、光によって照明されることになり、
各太陽電池が、上記前面上に配置され、かつ上記短辺と平行に実質的に該短辺の長さにわたって延びる複数のフィンガと、上記第１の長辺及び該フィンガの相互接続端部と平行にかつこれと隣接して延びるバスバー又は複数の接触パッドとを含む導電性前面金属化パターンを含み、
各太陽電池が、上記裏面上に配置され、かつ上記第２の長辺と平行にかつそれに隣接して延びる１つ又はそれよりも多くの接触パッドを含む導電性裏面金属化パターンを含む、
ことを特徴とする請求項１２７に記載の太陽エネルギレシーバ。
［請求項１２９］
太陽電池の隣接重ね合わせ対が、それらが一方の太陽電池の上記前面バスバー又は接触パッドと他方の太陽電池の上記１つ又はそれよりも多くの裏面接触パッドとの間の導電結合によって重なる領域に直列に電気接続されることを特徴とする請求項１２８に記載の太陽エネルギレシーバ。
［請求項１３０］
その前面の一部分が別の太陽電池によって重ね合わされる各太陽電池に関して、該重ね合わされた前面部分が、覆われていない前面部分よりも地球の赤道により近く、それによって該太陽電池の露出縁部を該赤道から離れるように向けるように上記列が向けられた状態で太陽エネルギコレクターにおける作動に向けて位置決めされることを特徴とする請求項１２９に記載の太陽エネルギレシーバ。
［請求項１３１］
各太陽電池が、光によって照明される前面を含み、隣接太陽電池によって重ね合わされない各太陽電池の該前面の区域のサイズが、該太陽電池に電流適合するように上記列を通して変化することを特徴とする請求項１２９に記載の太陽エネルギレシーバ。
［請求項１３２］
上記フレックス回路は、薄肉絶縁シート間に挟着された金属リボンを含み、該金属リボンは、その機械的従順性を高めるようにパターン化され、該絶縁シートは、太陽電池の上記第１及び第２の列に電気接触を取る該金属リボンの部分を露出するようにパターン化されることを特徴とする請求項１２９に記載の太陽エネルギレシーバ。
［請求項１３３］
上記基板と上記太陽電池の間に配置され、かつ顔料を含む熱伝導性封入層を含むことを特徴とする請求項１１４に記載の太陽エネルギレシーバ。
［請求項１３４］
上記熱伝導性封入層は、その上に入射する太陽放射線の実質的な部分を反射することを特徴とする請求項１３３に記載の太陽エネルギレシーバ。
［請求項１３５］
上記太陽電池の少なくとも一部が、真性薄層（ＨＩＴ）構造を有するヘテロ接合を含むシリコン太陽電池であり、各ＨＩＴ太陽電池が、該太陽電池によって吸収されない太陽放射線が上記封入層上に入射するように通過することができる裏面金属化パターンを含み、該封入層は、該裏面金属化パターンを通してそのような入射太陽放射線を該太陽電池内に反射して戻すように配置されることを特徴とする請求項１３４に記載の太陽エネルギレシーバ。
［請求項１３６］
上記熱伝導性封入層は、その上に入射する太陽放射線の実質的な部分を吸収することを特徴とする請求項１３３に記載の太陽エネルギレシーバ。
［項目１３７］
上記熱伝導性封入層は、黒色であることを特徴とする項目１３３に記載の太陽エネルギレシーバ。
［項目１３８］
上記熱伝導性封入層は、白色であることを特徴とする項目１３３に記載の太陽エネルギレシーバ。
［項目１３９］
上記太陽電池の少なくとも一部が、真性薄層（ＨＩＴ）構造を有するヘテロ接合を含むシリコン太陽電池であり、各ＨＩＴ太陽電池が、該太陽電池によって吸収されない太陽放射線が上記封入層上に入射するように通過することができる裏面金属化パターンを含み、該封入層は、該裏面金属化パターンを通してそのような入射太陽放射線を該太陽電池内に反射して戻すように配置されることを特徴とする項目１３８に記載の太陽エネルギレシーバ。